(57)【要約】【課題】少なくとも２体の平坦な製品を確実かつ正確にかつ簡便な手段によって粘着式に一体化することができる方法を提供する。【解決手段】特に印刷製品（２）と試供品、カード、同封物、ラベル等の別の供給された製品（３）等の少なくとも２体の平坦な製品（２，３）を少なくとも部分的に積重ねて接着式あるいは粘着式に一体化するための方法において、誘導ラインに沿って鱗状列流内で牽引あるいは推動される第１の製品（２）を、前記第１の製品（２）が重なり合わないような推進流（９）に前記鱗状列流を散開させそれに続く覆互状の推進領域（１１）の通過に際して前記誘導ラインから離脱させた後、前記第１の製品（２）の下方でその第１の製品に同期して供給されるとともにその第１の製品（２）に指向している表面が接着剤あるいは粘着剤を備えている第２の製品（３）と一体化する。【選択図】図１
2010100433.tif 000002
【特許請求の範囲】
【請求項１】
特に印刷製品（２）と試供品、カード、同封物、ラベル等の別の供給された製品（３）等の少なくとも２体の平坦な製品（２，３）を少なくとも部分的に積重ねて接着式あるいは粘着式に一体化するための方法であり、誘導ラインに沿って鱗状列流内で牽引あるいは推動される第１の製品（２）を、前記第１の製品（２）が重なり合わないような推進流（９）に前記鱗状列流を散開させそれに続く覆互状の推進領域（１１）の通過に際して前記誘導ラインから離脱させた後、前記第１の製品（２）の下方でその第１の製品に同期して供給されるとともにその第１の製品（２）に指向している表面が接着剤あるいは粘着剤を備えている第２の製品（３）と一体化する方法。
【請求項２】
第１の製品（２）は誘導ラインに沿って牽引して搬送するために誘導ラインに到達する前に搬送方向（Ｆ）と逆方向に曲折させることを特徴とする請求項１記載の方法。
【請求項３】
鱗状列流を前後して流動する第１の製品（２）の推進流（９）に散開させるために前記第１の製品（２）が湾曲した覆互状の推進領域（１１）を通過することを特徴とする請求項１または２記載の方法。
【請求項４】
第２の製品（３）は互いに前後に距離をおいて湾曲した覆互状の推進領域（１１）に対して略接線方向に供給されることを特徴とする請求項３記載の方法。
【請求項５】
誘導ラインは第１の製品（２）の搬送方向（Ｆ）に対して略平行に延在することを特徴とする請求項１ないし４のいずれかに記載の方法。
【請求項６】
第１の製品（２）は誘導ラインに沿った推動式の搬送のためにその誘導ラインへの到達前に搬送方向（Ｆ）に向かって曲折させることを特徴とする請求項１記載の方法。
【請求項７】
第２の製品（３）は互いに前後に距離をおいて湾曲した覆互状の推進領域（１１）に対して略接線方向に供給されることを特徴とする請求項５または６記載の方法。
【請求項８】
第２の製品（３）は露出した第１の製品（２）の表面上に選択的に配置されることを特徴とする請求項１ないし７のいずれかに記載の方法。
【請求項９】
特に印刷製品（２）と試供品、カード、同封物、ラベル等の別の供給された製品（３）等の２体の平坦な製品（２，３）を少なくとも部分的に積重ねて接着式あるいは粘着式に一体化するためのものであり、前記第１の製品を搬送するために規則的な間隔で取り付けられた締付け具（６）を有する推進装置（４）を備えてなる装置であり、前記推進装置（４）の推進区間に沿って略平行に延在し曲折した第１の製品の推進流を形成する誘導機構（２０）の誘導装置（７）を備え、それが下流側に前記推進区間に対して推進を継続し得るように接続する湾曲した覆互状の推進領域（１１）を備え、その推進領域がそれに対して接線方向に延在する、前記第１の製品（２）の下面に向かって指向する表面上に接着剤あるいは粘着剤を備えた第２の製品（３）のための給入装置（１２）に接続することを特徴とする装置。
【請求項１０】
第１の製品（２）の推進流（９）を形成する誘導装置（７）および／または覆互状の推進領域（１１）が推進流の断面を変化させるために調節および設定可能に形成されることを特徴とする請求項９記載の装置。
【請求項１１】
誘導機構（２０）は少なくとも誘導末端領域内に推進装置（４）によって形成された推進流（９）の方向転換部を備えることを特徴とする請求項９または１０記載の装置。
【請求項１２】
推進装置（４）による推進流（９）の方向転換は案内車（１７）によって実施されることを特徴とする請求項１１記載の装置。
【請求項１３】
流入領域（１５）における第２の製品（３）のための給入装置（１２）と第１の製品（２）の推進装置（４）との間の距離が変更可能に構成されることを特徴とする請求項９ないし１２のいずれかに記載の装置。
【請求項１４】
給入装置（１２）に沿って第２の製品（３）に接着剤あるいは粘着剤を塗付するために設けられた塗付装置（１６）を配設することを特徴とする請求項９ないし１３のいずれかに記載の装置。
【請求項１５】
第１の製品（２）の推進装置（４）の駆動モータ（１８）と第２の製品（３）の給入装置（１２）の駆動モータ（１９）を推進装置（４）および給入装置（１２）の速度を変更および同期化するための制御装置（２１）と接続することを特徴とする請求項９ないし１４のいずれかに記載の装置。
【請求項１６】
駆動モータ（１８，１９）は回転角制御式に形成されることを特徴とする請求項１５記載の装置。
【発明の詳細な説明】
【技術分野】
【０００１】
この発明は、特に印刷製品と試供品、カード、同封物、ラベル等の別の供給された製品等の少なくとも２体の平坦な製品を少なくとも部分的に積重ねて接着式あるいは粘着式に一体化するための方法に関する。
【背景技術】
【０００２】
それに関して欧州特許出願公開第１１１２８６１号Ａ１明細書により、粘着剤を備えた平板状あるいは弾力性の補填物を印刷製品と結合することが知られている。その際に周回軌道上に支持機構によって粘着性の補填物が収容され搬送流中において懸吊された印刷製品に移転される。
【０００３】
印刷物等の移転あるいは一体化に際して推進装置あるいは搬送装置の締付け具間に小さな間隔しか存在せず、従って補填物の挿入のための自由空間が殆ど存在しないことが問題となる。
【先行技術文献】
【特許文献】
【０００４】
【特許文献１】欧州特許出願公開第１１１２８６１号Ａ１明細書
【発明の概要】
【発明が解決しようとする課題】
【０００５】
従って本発明の目的は、少なくとも２体の平坦な製品を確実かつ正確にかつ簡便な手段によって粘着式に一体化することができる、冒頭に述べた種類の方法を提供することである。
【課題を解決するための手段】
【０００６】
前記の課題は本発明に従って、誘導ラインに沿って鱗状列流内で牽引あるいは推動される第１の製品を、前記第１の製品が重なり合わないような推進流に前記鱗状列流を散開させそれに続く覆互状の推進領域の通過に際して前記誘導ラインから離脱させた後、前記第１の製品の下方でその第１の製品に同期して供給されるとともにその第１の製品に指向している表面が接着剤あるいは粘着剤を備えている第２の製品と一体化することによって解決される。
【０００７】
製品は誘導ラインに到達する前に搬送方向と逆に曲折させて追従動作させることが好適であり、そのためには例えば牽引される製品の場合懸吊されている製品を引き外す障害物が適しており、それによってその姿勢を逆方向転換させて誘導装置に沿って滑動させる。
【０００８】
製品を誘導装置に沿って推動する場合は、例えばそれを懸吊された状態から略垂直で好適には漏斗形状の部分を介して誘導装置の推進装置に給入しその上で滑動式に搬送することができる。
【０００９】
その際牽引あるいは推動された第１の製品に対して選択的に適用するために使用可能な手段を搬送方向Ｆに向かって連続的に収束している推進路進入口に合わせて簡便な方式で調整するかあるいは交換することができる。
【００１０】
鱗状列流を前後して流動する製品の推進流に散開させるために印刷物が誘導ラインに接続する湾曲した覆互状の推進領域を通過することが好適であり、それによって簡便な方式で鱗状の隊列から解放することができる。
【００１１】
第２の製品は互いに前後に距離をおいて湾曲した覆互状の推進領域に対して略接線方向に供給することが好適であり、それによって継続的な供給に際しても正確な一体化を達成することができる。
【００１２】
好適には、第１の製品がそれに沿って鱗状列流内を牽引あるいは推動される誘導ラインは給入される製品の搬送方向に対して略平行に延在し、それによって推進流の安定化と鱗状列流内における明確な製品の間隔設定を達成することができる。
【００１３】
第１の製品は推動式の搬送のために誘導ラインへの到達前にそれらが搬送方向において前方に指向するような姿勢に転換されることが好適である。
【００１４】
湾曲した覆互状の推進領域とそれに対して略平行に方向転換する推進装置によって第１の製品の鱗状列流が散開させられ、それによって第１の製品が露出した下側表面を備えその上に第２の製品が固定される。
【００１５】
第２の製品はいずれも選択的に配分しその第２の製品に指向して露出している第１の製品の表面上に装着し得るようにすることが好適である。
【００１６】
本発明に係る特に印刷製品と試供品、カード、同封物、ラベル等の別の供給された製品等の２体の平坦な製品を少なくとも部分的に積重ねて、好適には水平状態に積重ねて接着式あるいは粘着式に一体化するため装置は、第１の製品を搬送するために規則的な間隔で取り付けられた締付け具を有する推進装置からなり、前記推進装置の推進区間に沿って略平行に延在し曲折した第１の製品の推進流を形成する誘導機構の誘導装置を備え、その下流側に向いた端部が前記推進区間に対して推進を継続し得るように接続する湾曲した覆互状の推進領域を形成し、その推進領域がそれに対して接線方向に延在する、前記第１の製品の下面に向かって指向する表面上に接着剤あるいは粘着剤を備えた第２の製品のための給入装置に接続する。ここで２体の製品の一体化という用語解釈に関して、上述したように第１の製品に第２の製品を付加するかあるいは第２の製品に第１の製品を付加するかはいずれも可能であることとする。
【００１７】
第１の製品の推進流を形成する誘導装置が推進流の断面を変化させるために調節および設定可能に形成されることが好適であり、この装置によって多様なフォーマットで第１の製品を処理することが可能になる。
【００１８】
誘導機構は少なくとも誘導末端領域内に推進装置によって形成された推進流の方向転換部を備え、それが推進装置によって搬送された第１の製品の鱗状列流の個別化あるいは散開を実行させる。
【００１９】
推進流の方向転換は推進装置が誘導される案内車を使用して実施することが好適である。
【００２０】
特に第１の製品のフォーマット可変性のため、流入領域における第２の製品のための給入装置と第１の製品の推進装置との距離が変更可能に構成されれば好適であることが明らかであり、それによって推進装置から露出し第２の製品に指向している第１の製品の表面をその第１の製品によりも側方に突出することも可能な第２の製品を接着するために選択的に使用することができる。
【００２１】
この目的のために給入装置に沿って第２の製品に接着剤あるいは粘着剤を塗付するために設けられた塗付装置が配置され、それに対して第２の製品の所定の表面を指向させて通過させる。
【００２２】
さらに、推進装置および給入装置の速度の変更および同期化する制御あるいは調節を可能にするように第１の製品の推進装置の駆動モータと第２の製品の給入装置の駆動モータを制御装置と接続することができ、それによってタイミング状態を保持あるいは変更可能にするかあるいは第１位の製品に対する第２の製品の位置を決定可能にする。
【００２３】
次に本発明の実施例につき、添付図面を参照しながら、以下詳細に説明する。図中には説明中に記述されていない個別構成要素も含まれている。
【図面の簡単な説明】
【００２４】
【図１】本発明に係る装置の一実施形態を示した側面図である。
【図２】本発明に係る装置の別の実施形態を示した側面図である。
【発明を実施するための形態】
【００２５】
図１には、特に印刷製品２と試供品、カード、同封物、ラベル等の別の供給された製品３等の少なくとも２体の平坦な製品２，３を少なくとも部分的に積重ねて接着式あるいは粘着式に一体化するための装置１が示されている。装置１は、例えばチェーンあるいはベルト等の周回式の牽引手段５上に規則的な間隔で取り付けられていて第１の製品２を縁部領域上で固定あるいは締め付ける締付け具６を有する推進装置４からなる。推進装置４は当業者においてコンベアとも呼ばれている。第１の製品２は誘導装置７に対して前置された誘導体８によって自由端部が懸吊式に把持され、搬送方向Ｆの逆方向もしくは後方に向かって方向転換される。２個の締付け具間、例えば４″あるいは６″間の比較的短い間隔のため、遅くとも誘導装置７に沿って鱗状の推進流９が形成され、その中においていずれも後続の第１の製品２が先行する第１の製品２に部分的に重なっている。従って第１の製品２は部分的に積み重なって誘導ラインに沿って牽引され、ここでその誘導ラインは推進路１０を形成しながら略垂直に下方に延在する。誘導ラインが推進装置４に対して平行に延在することによって、誘導装置７の領域内に規則的な推進路１０の高さが形成される。誘導装置７の末端上で推進路１０に覆互状の湾曲した推進領域１１が接続し、それが誘導装置７と共に前記湾曲した覆互状の推進領域１１に対して接線方向に延在する第２の製品３の給入装置１２の手前で終止する誘導機構を構成する。第２の製品３の給入装置１２は給入方向Ｚに周回する推進ベルト１３を備え、それが第２の製品３をマガジン１４から取り出して誘導機構の末端上の第１の製品２の流入領域１５内に規則的な間隔で誘導する。第２の製品３あるいは第１の製品２の流入部１５への供給は時間制御によって実施される。略水平な第２の製品３の給入路上には露出した第２の製品３の表面上に粘着剤を塗付する塗付装置１６が存在している。流入領域１５内において第１の製品２が個別化されて誘導機構から離脱して第２の製品３と当接し、この第２の製品３が塗付された粘着剤によって第１の製品２と一体化されそれと共に推進装置４の締付け具６内でさらに搬送される。
【００２６】
第１の製品２と第２の製品３の当接は重力あるいは第１の製品の方向転換によって発生する予荷重圧力によって達成することができる。湾曲した覆互状の推進領域１１は、流入領域１５内における推進装置４、誘導機構、ならびに給入装置１２上の案内車１７によって形成される。誘導機構２０は誘導末端領域内に推進装置４によって形成された推進流９の方向転換区間を備えている。
【００２７】
略接線方向の第２の製品３の給入装置１２の第１の製品２の推進装置４に対しての距離は流入領域１５内において変更可能に形成されており、それによって最適な設定ならびに特定の位置における第１の製品２と第２の製品３の正確な当接が達成可能となる。案内車１７と接続された推進装置の駆動モータ１８と給入装置１２の駆動モータ１９が、推進装置４と給入装置１２の速度を変更および／または同期化するための制御装置２１と結合されている。制御装置２１にはさらに伝送線を介して第２の製品３を個別化するフィーダならびに塗付装置１６が接続されており、それによって所要の加工を時間制御によって実施することができる。そのため駆動モータ１８，１９は制御および／または調節可能に形成され；従って例えば回転角制御モータが使用される。
【００２８】
図２の実施形態は、推進装置４と誘導装置７によって形成された推進路１０内において第１の製品２を推進方向Ｆに曲折させた後推動し調節可能な誘導装置７に沿って鱗状に進行させる第１の製品２の搬送方式によって図１の実施形態と異なっている。そのため図１に示されている誘導体８を非作動位置に移動させるか除去することができる。推進装置４の締付け具６内に保持された第１の製品２の進入はその第１の製品を自由端部で捕捉する加速装置２２を介して実施され、その加速装置は周回式のベルト２３からなり第１の製品２の自由端部が搬送方向Ｆに加速されるように作用し、従って第１の製品はその自由端部が先に推進路１０に到達し誘導装置７あるいは誘導ラインに沿って鱗状に重なりながら推動される。この場合後続の第１の製品２はいずれも先行する第１の製品２の下側に重なり、この第１の製品２の自由端部は覆互状の推進領域１１内あるいは流入領域１５内において締付け具６に把持されている第１の製品２の端部より先に誘導機構２０から離脱する。
【００２９】
提案された方法および装置１は、推進路進入口の変更によって第１の製品２の任意の平坦面上への給入された第２の製品３の接着、あるいは２度通過させることによって両方の平坦面への接着を可能にする。
【００３０】
図１の実施形態ならびに図２の実施形態のいずれにおいても、第１の製品２をその折り目ならびに開放端部のいずれかを締付け具６内にして搬送することも可能である。
【符号の説明】
【００３１】
１  装置
２  第１の製品
３  第２の製品
４  推進装置
５  牽引手段
６  締付け具
７  誘導装置
８  誘導体
９  推進流
１０  推進路
１１  推進領域
１２  給入装置
１３  推進ベルト
１４  マガジン
１５  流入領域
１６  塗付装置
１７  案内車
１８，１９  駆動モータ
２０  誘導機構
２１  制御装置
【図１】
2010100433.tif 000003
【図２】
2010100433.tif 000004